【手続補正書】
【提出日】平成17年4月26日(2005.4.26)
【手続補正１】
【補正対象書類名】明細書
【補正対象項目名】特許請求の範囲
【補正方法】変更
【補正の内容】
【特許請求の範囲】
【請求項１】
アプリケーションプログラムをダウンロードし実行可能な静止画像表示手段を有する携帯電話端末と、
ネットワークを介してデジタルの画像データと文字情報からなるデータ配信の期日を指定する予約データとデータキャリアの識別情報とを取得する第１のデータ取得手段と、
デジタルデータの広告情報を取得する第２のデータ取得手段と、
前記第１のデータ取得手段に取得された前記画像データを、前記携帯電話端末で表示するための画像データに変換する画像変換手段と、
前記予約データを保存する予約情報保存手段と、前記データキャリア毎の前記携帯電話端末の動画再生プレーヤーを保存するプレーヤー保存手段と、
前記広告情報と前記画像データを合成するデータ合成手段と、
前記プレーヤー保存手段に蓄積された動画再生プレーヤーを前記携帯電話端末に送信する手段と、
前記データ合成手段により合成されたデータを送信する送信手段とを有するアプリケションサービスプロバイダサーバーと、
前記アプリケーションサービスプロバイダサーバと前記携帯電話端末との間に介在し、無線による画像データの送受信を行う無線基地局と
からなる画像配信システム。
【請求項２】
動画データを携帯電話端末に表示可能なデータフォーマットに変換する画像変換部と、
前記画像変換部で変換された画像情報を記憶する画像データベースと、
前記画像データベースに記憶された画像情報と広告データベースに記憶された広告データとを合成する広告合成部と、
アプリケーションプログラムをダウンロードし実行可能な静止画像表示手段を有する携帯電話端末に動画プレーヤーを配信する手段を有するサーバー。
【請求項３】
携帯電話端末に動画再生を行う動画プレーヤーを配信し、
前記携帯端末に画像変換を行った画像情報と広告情報を合成した画像情報を配信し、
前記動画プレーヤーで動画を再生する動画配信方法。
【請求項４】
アプリケーションプログラムをダウンロードし実行可能な携帯電話端末に、前記アプリケーションプログラムおよびデータ等を配信するサーバーであって、
前記携帯電話端末に配信する画像データを、前記携帯電話端末が属するキャリアおよび／もしくはその機種に基づいて、前記携帯電話端末が表示可能なデータフォーマットに変換する手段と、
データフォーマットの変換を行った変換後の画像データを前記携帯電話端末に配信する手段と、
前記変換後の画像データを再生するためのアプリケーションプログラムを、前記携帯電話端末に配信する手段とを有するサーバー。
【請求項５】
前記アプリケーションプログラムを、前記携帯電話端末が属するキャリアに基づいて予め保持しているアプリケーションプログラムから選択する手段を有し、
選択した前記プリケーションプログラムを前記携帯電話端末に配信する、請求項４に記載のサーバー。
【請求項６】
前記携帯電話端末とは別の端末装置とデータ通信を行い、前記端末装置から、前記画像データを前記携帯電話端末に配信すべき期日に係る情報と、前記携帯電話端末の識別情報とを受信する手段を有し、
受信した前記期日に、受信した前記識別情報に基づいて、前記変換後の画像データを前記携帯電話端末に配信する、請求項４または５に記載のサーバー。
【請求項７】
前記端末装置からさらに画像データを受信し、
前記携帯電話端末に配信する画像データに、前記端末装置から受信した前記画像データを使用する、請求項６に記載のサーバー。
【請求項８】
前記携帯電話端末に、前記携帯電話端末の機種に関する情報の送信要求を送信する手段を有し、
前記送信要求への返信として前記携帯電話端末から受信する機種情報に基づいて、前記携帯電話端末に配信する画像データを、前記携帯電話端末が表示可能なデータフォーマットに変換する、請求項４または５に記載のサーバー。
【請求項９】
外部から受信した広告データと前記画像データとを合成したデータを作成する手段を有し、
前記合成したデータを前記携帯電話端末に配信して、前記携帯電話端末に前記広告データを再生させる、請求項４から８のいずれかに記載のサーバー。
【請求項１０】
外部から受信した広告データを、前記アプリケーションプログラムもしくは前記画像データの配信に先立って前記携帯電話端末に配信する手段を有し、
前記携帯端末に、前記アプリケーションプログラムもしくは前記変換後の画像データの受信中に前記広告データを再生させる、請求項４から８のいずれかに記載のサーバー。
【請求項１１】
サーバーからアプリケーションプログラムをダウンロードし実行可能な携帯電話端末であって、
前記サーバーから配信される画像データを再生するためのアプリケーションプログラムを受信する手段と、
前記サーバーから配信される画像データ受信する手段と、
受信した前記アプリケーションプログラムを実行して、受信した前記画像データを再生する手段とを有し、
前記サーバーから受信する前記画像データは、前記サーバーが、前記携帯電話端末が属するキャリアおよび／もしくはその機種に基づいて、前記携帯電話端末が表示可能なデータフォーマットに変換した画像データである、携帯電話端末。
【請求項１２】
前記サーバーから受信する前記アプリケーションプログラムは、前記サーバーが、前記携帯電話端末が属するキャリアに基づいて、予め保持しているアプリケーションプログラムから選択したアプリケーションプログラムである、請求項１１に記載の携帯電話端末。
【請求項１３】
前記携帯電話端末の機種に係る機種情報を前記サーバーに送信する手段を有し、
前記画像データは、前記サーバーが前記携帯電話端末から受信した前記機種情報に基づいて、前記携帯電話端末が表示可能なデータフォーマットに変換した画像データである、請求項１１または１２に記載の携帯電話端末。
【請求項１４】
前記携帯電話端末は、前記サーバーから前記アプリケーションプログラムもしくは前記画像データに先立って広告データを受信し、
前記アプリケーションプログラムもしくは前記画像データの受信中に、前記広告データを再生する、請求項１１から１３のいずれかに記載の携帯電話端末。
【請求項１５】
アプリケーションプログラムをダウンロードし実行可能な携帯電話端末に、前記アプリケーションプログラムおよびデータ等を配信する配信方法であって、
前記携帯電話端末に配信する画像データを、前記携帯電話端末が属するキャリアおよびその機種に基づいて、前記携帯電話端末が表示可能なデータフォーマットに変換し、
データフォーマットの変換を行った変換後の画像データを再生するためのアプリケーションプログラムを、前記携帯電話端末に配信し、
前記変換後の画像データを、前記携帯電話端末に配信する、配信方法。
【請求項１６】
前記プリケーションプログラムの前記携帯電話端末への配信に先立って、
前記アプリケーションプログラムを、前記携帯電話端末が属するキャリアに基づいて、予め保持しているアプリケーションプログラムから選択する、請求項１５に記載の配信方法。
【請求項１７】
前記画像データのデータフォーマットを変換した後に、
外部から受信した広告データと前記変換後の画像データを合成したデータを作成し、
前記合成したデータを前記携帯電話端末に配信する、請求項１５に記載の配信方法。
【請求項１８】
前記アプリケーションプログラムの配信、もしくは前記画像データの配信に先立って、
外部から受信した広告データを前記携帯電話端末に配信して、前記携帯電話端末に、前記アプリケーションプログラムもしくは前記画像データの受信中に、前記広告データを再生させる、請求項１５に記載の配信方法。